(57)【特許請求の範囲】
【請求項１】
器械側血液回路部と、術野側血液回路部からなり、使用時に概中央部より二つに展開する容器に収納されており、該容器は展開時には一辺でつながっており、前記器械側血液回路部と、前記術野側血液回路部は別々の滅菌袋に収納されており、前記器械側血液回路部を収納する滅菌袋は、前記二つに展開されてできた二つの容器の一方の側に固定され、前記器械側血液回路部を収納する滅菌袋は、展開した容器上面側に開封部が向くように収納された体外循環血液回路。
【請求項２】
前記二つに展開された容器の開口面に菌不透過性のフィルムが貼付されている請求項１に記載の体外循環血液回路。
【請求項３】
前記器械側血液回路部には人工肺が接続されている請求項1または請求項2に記載の体外循環血液回路。
【発明の詳細な説明】
【０００１】
【発明の属する技術分野】
本発明は、心臓手術の際の体外循環に用いられる体外循環血液回路に関する。
【０００２】
【従来の技術】
心臓手術の際の体外循環に用いられる体外循環血液回路は、手術室内の不潔領域にて扱われ、チューブ・動脈フィルター・遠心ポンプ・ヘモコンセントレーター・カーディオプレギア等からなる器械側血液回路部、および清潔領域にて扱われ、チューブ・カテーテル・サッカー等からなる術野側血液回路部から構成される。
また、これらに人工肺を加えて、体外循環血液回路と称することもある。
【０００３】
これまで、人工肺以外の血液回路部と、人工肺は、各々が別個の箱に収められ、滅菌・消毒した状態で医療現場に届けられ、医療現場において、その都度開封して使用されていた。
【０００４】
ところが、このような別個の箱に収める方法では、輸送・収納・使用・廃棄時に嵩張るのみならず、使用時に取り出す際に手間取ることが問題となっていた。
【０００５】
近年では、血液回路部と人工肺を同一の箱に収めたものも使用されるようになってきたが、箱が大きくなるうえに、同一の空間に複数の部材を収納するために、取り出し操作は却って煩雑となる場合もあり、使用時の取り扱い易さは軽減されていない。
【０００６】
【発明が解決しようとする課題】
本発明の目的は、輸送・収納・使用・廃棄時に嵩張らず、使用時に取り出すに際に手間のかからない体外循環血液回路を提供することにある。
【０００７】
【課題を解決するための手段】
このような目的は、下記（１）〜（７）の本発明により達成される。
【０００８】
（１）  器械側血液回路部と、術野側血液回路部からなり、使用時に概中央部より二つに展開する容器に収納されていることを特徴とする、体外循環血液回路。
【０００９】
（２）  前記容器は、展開時には一辺でつながっている（１）に記載の体外循環血液回路。
【００１０】
（３）  前記器械側血液回路部と、前記術野側血液回路部は、別々の滅菌袋に収納されている（１）または（２）に記載の体外循環血液回路。
【００１１】
（４）  前記器械側血液回路部を収納する滅菌袋は、前記二つに展開されてできた二つの容器の一方の側に固定されている（３）に記載の体外循環血液回路。
【００１２】
（５）  前記器械側血液回路部を収納する滅菌袋は、展開した容器の上面側に開封部が向くよう収納された（３）または（４）に記載の体外循環血液回路。
【００１３】
（６）  前記二つに展開された容器の開口面に菌不透過性のフィルムが貼付されている（１）ないし（５）のいずれかに記載の体外循環血液回路。
【００１４】
（７）  前記器械側血液回路部には人工肺が接続されている（１）ないし（６）のいずれかに記載の体外循環血液回路。
【００１５】
【発明の実施の形態】
以下、本発明の体外循環血液回路を添付図面に示す好適な実施形態に基づいて詳細に説明する。
【００１６】
図１は、本発明の体外循環血液回路の収納時の状態を示す斜視図、図２は、図１に示す体外循環血液回路の使用時の状態を示す斜視図である。
【００１７】
図１に示すように、体外循環血液回路を収納する箱１は六面体からなる。六面体の一周のうち三面１０１、１０２、１０３には、連続するミシン目２が設けられている。六面体の一周のうち残りの一面（図１における底面）１０４には、このようなミシン目が設けられていない。
【００１８】
このミシン目を破り、面１０４を折り返すことにより、箱１は図２に示すように、折り曲げ部２１で一辺を繋げた状態のまま左右に展開される。展開されてできた左右の二つの箱１１と箱１２には、図２に示すように、各々滅菌袋３１と滅菌袋３２に収納された、人工肺と接続された器械側血液回路部４１と、術野側血液回路部４２が収納されている。
【００１９】
人工肺と接続された器械側血液回路部の滅菌袋３１は、開封部３１１で開封できるようにシールされており、かつ、箱１１の底面１０５の内側面に両面テープなどで固定されている。
【００２０】
このような構成により、使用時には滅菌袋３１を箱１１に固定した状態で開封でき、人工肺と接続された器械側血液回路部４１を容易に取り出すことが可能となる。
【００２１】
以上、本発明の体外循環血液回路を図示の実施形態について説明したが、本発明はこれに限定されるものではない。
【００２２】
例えば、箱１を展開する形態は、上述のように六面体の一周のうち三面を分割して折り返すものの他、図３に示すように、六面体の二面１０１、１０３及び辺１１１に連続するミシン目２が設けられ、辺１１２で折り返す等の方法を用いても良い。
【００２３】
また箱１は、上述のようにミシン目から開口される一つの箱からなる形状のほか、開口面を対向して二つの箱を重ね、接着テープ等で留める等の方法で作られても良い。
【００２４】
この場合には、開口面を対向して重ねた箱の一辺同士を蝶番や可撓性フィルムなどで繋げておくことで、上述と同様の構成にすることができる。
【００２５】
また、箱を菌不透過性の材料で構成し、開口面に菌不透過性のフィルムを貼付した容器を二つ折りにした構成や、開口面に菌不透過性のフィルムを貼付した二つの容器を蝶番や可撓性フィルムなどで繋げ、開口面を対向させた構成のものでも良い。
【００２６】
また使用時まで箱の中でずれないようにする目的で、器械側回路部・術野側回路部を箱へ固定する手段や、各種緩衝材は、適宜用いられる。
【００２７】
また、各回路部の構成要素は使用形態に応じ、自由に組み合わせて用いられることは言うまでもない。
【００２８】
【発明の効果】
以上述べたように、本発明によれば、輸送・収納・使用・廃棄時に嵩張ることなく、使用時に取り出す際に手間取ることのない体外循環血液回路を提供することが出来る。
【図面の簡単な説明】
【図１】本発明の体外循環血液回路の第一の実施形態の収納状態を示す斜視図である。
【図２】本発明の体外循環血液回路の第一の実施形態の展開状態を示す斜視図である。
【図３】本発明の体外循環血液回路の第二の実施形態の収納状態を示す斜視図である。
【符号の説明】
１          箱
２          ミシン目
１１        左側の箱
１２        右側の箱
２１        折り曲げ部
３１、３２  滅菌袋
４１        器械側血液回路部
４２        術野側血液回路部
１０１、１０２、１０３、１０４、１０５、１０６  各面
１１１、１１２  各辺
３１１      開封部
【図１】
0004169944.tif 000002
【図２】
0004169944.tif 000003
【図３】
0004169944.tif 000004